(57)【要約】  反芻動物の電子識別用カプセル（１）であって、経口投与されて該動物の第二胃に格納されるように適応されている。前記カプセルは、セラミック材料の体部（２）を含み、データ交換装置（４）を封入するためのキャビティ（３）を備えている。該カプセルは、密度４ｇ／ｃｍ３以上の非鉄元素の化合物を含み；３を超える比重；８ｇ〜９０ｇの間に入る総重量；５ｇ〜８５ｇの有効重量を有し；そしてシリンダ様の楕円形の形状を有し、長さと直径間の比率が３〜６の間に含まれることを特徴とする。本発明のカプセル（１）体は異なる重量及び測定値の動物に適用可能である。
2007506412.tif 000002
【特許請求の範囲】
【請求項１】
反芻動物の電子識別用カプセル（１）であって、経口投与されて該動物の第二胃（網胃又は反芻胃）に格納されるように適応されており、前記カプセルは、動物の胃液に耐性のあるセラミック材料の体部（２）を含み、データ交換装置（４）を封入するためのキャビティ（３）を備えており、
カプセル体部のセラミック材料は、密度４ｇ／ｃｍ３以上の非鉄元素の化合物を含み、
前記体部の比重は３であり、
カプセルの総重量は８ｇ〜９０ｇの間に含まれ、
カプセルの有効重量は５ｇ〜８５ｇであり、そして
カプセルは楕円形の、わずかに丸みを帯びた端部を有するシリンダ様で、直径は８ｍｍ〜２５ｍｍの間に含まれ、長さは３０ｍｍ〜１１０ｍｍの間に含まれる
ことを特徴とするカプセル（１）。
【請求項２】
体部（２）のセラミック材料が酸化ジルコニウム（ＺｒＯ２）を含むことを特徴とする、請求項１に記載のカプセル（１）。
【請求項３】
酸化ジルコニウムの組成が３０重量％〜８０重量％の間に含まれ、比重量が３．５〜４．０であることを特徴とする、請求項１及び２に記載のカプセル（１）。
【請求項４】
体部（２）を構成するセラミック材料が以下の成分、すなわち１７〜５０重量％の酸化ケイ素、０．０２〜０．０５重量％の酸化マグネシウム、３〜６重量％の酸化アルミニウム、１．２０〜２．６０％の酸化カルシウム、０．１２〜０．４０重量％の酸化カリウム、１．００〜３．２０重量％の酸化チタン、０．０１〜０．０３重量％の酸化ナトリウム、０．０２〜０．１５重量％の酸化鉄、及び０．０１〜０．０３重量％の酸化リンの一つ以上を含むことを特徴とする、前記請求項のいずれかに記載のカプセル（１）。
【請求項５】
カプセルの長さと直径間の比率が３〜６の間に含まれ、好ましくは４．５に近い数値であることを特徴とする、請求項１に記載のカプセル（１）。
【請求項６】
体部（２）の長さが５０ｍｍ〜１１０ｍｍの間、直径が１２ｍｍ〜２５ｍｍの間、総重量が４０ｇ〜９０ｇの間；そして有効重量が３５ｇ〜８５ｇの間に含まれることを特徴とする、体重約２５ｋｇを超える反芻動物用の前記請求項１〜５のいずれかに記載のカプセル（１）。
【請求項７】
体部（２）の長さが３５ｍｍ〜７５ｍｍの間、直径が８ｍｍ〜１５ｍｍの間、総重量が８ｇ〜５０ｇの間；そして有効重量が５ｇ〜４５ｇの間に含まれることを特徴とする、体重約２５ｋｇ未満の反芻動物用の前記請求項１〜５のいずれかに記載のカプセル（１）。
【請求項８】
体部（２）の少なくとも一方の円形端部に配置され、生分解性材料のブラケット（６）で固定された弾性エレメント（５）を備えていることを特徴とする、前記請求項のいずれかに記載のカプセル（１）。
【発明の詳細な説明】
【技術分野】
【０００１】
本発明は、反芻動物の電子識別用の反芻胃用カプセル、又はボーラスに関する。該カプセルは、あらゆる年齢又は大きさの動物に経口投与されて、網胃又は反芻胃と呼ばれる反芻動物の第二胃におけるそれらの位置取りを最大限生かすように特別に設計されている。該カプセルは、反芻動物の前胃の消化プロセス及び分泌液に耐性のある不活性材料の体部から成り、前記体部は、高周波によるデータ交換用電子装置（トランスポンダ）を含有するように適応されたキャビティを備えている。この種のカプセル又はボーラスを本特許の条件下で使用することは、それが適用される動物の健康、行動及び福祉に何の問題も害も伴わない。
【背景技術】
【０００２】
反芻動物の識別及び管理用カプセルは、一般的に不活性材料の体部又はマトリックスを含む。それは重量があり、反芻動物前胃の腐食性条件（水分、ｐＨ４〜８、強還元性の嫌気的環境、強い微生物活動、タンパク分解及び線維分解酵素の作用等）に対する耐性をもつ。その前胃に、動物に関するあらゆる種類の情報（識別番号、生産特性、活動及び行動等）を貯蔵し、前記情報を電磁波によって受信装置に転送できる電子装置が移植される。
【０００３】
動物の電子識別は、国際取引において動物や肉に要求されるトレーサビリティ（追跡可能性）の要件に応じるために今日では非常に重要なものとなっている。そこで、欧州委員会は、反芻動物の公的識別システムとして電子識別の使用に技術的及び標準化の進展がなされたことに鑑み、今後数年以内に決定を下す必要性を提案している（ウシに関するＥＥＣ規則１７６０／２０００及び現在審議中のヒツジ及びヤギに関する規則案ＣＯＭ−２００２−７２９）。
【０００４】
こうした状況において、特に重要なことは、実際に使用される電子識別装置が、（１）非常に早期、出生後なるべく早く、いずれにしても動物の離乳前（母子間の結び付きが切れて関係性が失われるとき）に適用できること、（２）動物に永続的に保持されて、その生産寿命全体を通じて単一の識別が得られること、（３）動物体内の固定された、そして予め分かっている位置に配置されて、生存動物内の識別装置を、静的状態（固定された動物）であれ動的状態（動いている動物）であれ、迅速かつ容易に読み取ることができ、また死後又は食肉処理場での動物の解体後、容易かつ迅速に回収できること、である。
【０００５】
これらの目的は、現在入手可能な識別装置では全体的にも同時的にも満たされない。最近、ＩＣＡＲ（International Committee for Animal Recording、家畜の能力検定に関する国際委員会）又は動物生産の識別及び管理に関する国際委員会は、公的識別法として何らかの種類の装置の使用の承認を得るには９８％を超える保持が必要という手続案内を発表した。
【０００６】
本発明特許の著者らによってなされた以前のいくつかの研究、例えば、Ｃａｊａら（１９９８；Ｆｉｎａｌ  Ｐｒｏｊｅｃｔ  Ｒｅｐｏｒｔ  ＡＩＲ３−２３０４、ブリュッセル）、Ｃａｊａら（１９９９；Ｃｏｍｐ．Ｅｌｅｃ．Ａｇｒｉｃ．２４：４５−６３）、Ｇａｒｉｎ（２００２；Ｄｏｃｔｏｒａｌ  Ｔｈｅｓｉｓ（博士論文）、Ｕｎｉｖｅｒｓｉｄａｄ  Ａｕｔｏｎｏｍａ  ｏｆ  Ｂａｒｃｅｌｏｎａ（バルセロナ自治大学））、Ｇａｒｉｎら（２００２；Ｊ．Ａｎｉｍａｌ．Ｓｃｉ．８１：８７９−８８４）及びＧｈｉｒａｒｄｉ（２００３；Ｔｅｓｉｓ  ｄｅ  Ｍａｇｉｓｔｅｒ、Ｕｎｉｖｅｒｓｉｄａｄ  Ａｕｔｏｎｏｍａ  ｏｆ  Ｂａｒｃｅｌｏｎａ）に、識別カプセル又はボーラスを好ましくは網胃又は反芻動物の第二胃に配置することの利益が示されている。これについては、異なる種の反芻動物に経口投与されるカプセルの物理的特性及び最適サイズを決定するために数多くの試行がなされた。この位置であれば、異なる特性の異なるボーラスを使用しても、幼若動物（Ｇａｒｉｎら、２００２）及び成熟動物（Ｃａｊａら、１９９９）の両方において動物に無害である。
【０００７】
反芻胃におけるカプセル又はボーラスの永続率の高さを条件付ける最も重要な物理的パラメータの一つはカプセルの比重である。比重は、物体の重量とその固有体積の蒸留水の重量との間に存在する比率と定義される。反芻動物に保持されるカプセルについてＦａｌｌｏｎが最近出した結論によれば（２００２；Ｒｅｖ．Ｓｃｉ．Ｔｅｃｈ．Ｏｆｆ．Ｉｎｔ．Ｅｐｉｚｏｏｔ．２０：４８０−４９０）、その比重の値は２を超えなければならない。
【０００８】
酸化ケイ素（ガラス及びセラミック）を基にした材料で製造され、比重が２前後のカプセルに関するいくつかの特許文献、例えばＥＰ０４８０５３０及びＥＳ２０８９５５６、があるが、それらは動物の反芻胃における満足な保持率（＞９８％）を達成しない、又は幼若動物もしくは体重３０ｋｇ未満の動物への適用が不可能となる比較的大きい寸法で製造される必要がある、のいずれかである。
【０００９】
その他の特許に金属塊を備えたカプセルに関するものがある。これは比重の増加と、瘤胃における装置の垂直位を達成して読取り可能性の改良を目的としている。このように、特許文献ＡＵ６４９２１２には、液体を満たし、磁気ブロックを備えることができる磁器製体部の中に配置された電子装置が提供されている。その目的も、食肉処理場での解体及び屠体加工時にその回収を容易にすることである。それでもなお、このようなタイプのボーラスの欠点は、サイズの大きさだけでなく、金属体の存在である。金属体は高周波電磁波の受信及び送信を妨害し、読取り可能性を低減する。
【００１０】
これらの欠点を回避するために、他のタイプのカプセル又は反芻胃用ボーラスが考案されている。例えば、特許ＥＳ２１４０２３７に開示されているようなもので、その体部は高比重で電磁放射線を通すアルミニウム系材料（酸化アルミニウム、Ａｌ２Ｏ３）でできており、識別トランスポンダを配置するための内部キャビティを提供している。前記材料の比重は２．５を超える。これは反芻動物の第二前胃におけるカプセルのより正確な位置取りを確実にする。さらに、前記カプセルは、電磁波によるデータの検出又は送信を妨害する磁気又は金属元素を含有しない。
【００１１】
しかしながら、電子ボーラスで反芻動物を識別する際、実際に観察された別の主要問題はそのサイズである。なぜならば、逆流（反芻）による排除を回避するために、カプセルは高重量を達成する必要があるからである。本特許の著者らが異なる種類のボーラス及び生産状況で実施した以前の研究では、ウシ家畜においてボーラスの保持が有効（１００％）なのは、ボーラスの重量が５０〜８０ｇを超える場合であることがＧｈｉｒａｒｄｉらによって示されている（２００３；ＩＴＥＡ：Ｐｒｏｄ．Ａｎｉｍａｌ，増刊号２４，８５−８７）。これは、先に参照した特許で使用された材料の比重（２〜２．５）と仮定すると、中型又は大型ボーラス（長さ６５〜１１０ｃｍ、直径１．８〜２．５ｃｍ）を用いた場合にのみ達成される。この大きさは、一部のウシ新生児又は特定在来種の完全成長牛の場合のように、幼若又は小型動物が飲み込むのは不可能である。実際、ボーラスは生体重が２５〜３０ｋｇになる前に適用すべきでなく（Ｃａｊａら、１９９９）、より安全のためにはウシの場合５０ｋｇになる前に適用すべきでないことが推奨される。このタイプのボーラスによる早期識別は、出生時の平均体重が２〜４ｋｇで、一般的に生後３〜６ヶ月から２５〜３０ｋｇに達する子ヒツジ及び子ヤギの場合は明らかに不可能である。これらの場合、飲込みが可能となるのはボーラスの寸法が非常に縮小されている場合のみであるが、前述の特許に従って製造された識別装置では不可能である。
【００１２】
動物の瘤胃におけるカプセルの永続性を確保するために同じく重要なその他の側面も存在するが、これについては掘り下げた研究がなされていない。本発明特許の著者らは、いわゆる‘有効重量’とカプセルの寸法も、カプセルの逆流を回避し、反芻胃におけるそれらの永続性を保証するために特に重要であると判断した。
【００１３】
そこで、瘤胃用カプセルの‘有効重量’を、カプセルの総重量と、水中にあるその体積によって決まるその浮力との間の差と定義する。有効重量を使用すれば、一部のカプセルで観察される浮力作用が排除される。例えば、特許文献ＥＳ２０８９５５６、ＥＰ０４８０５３０、ＡＵ６４９２１２及びＥＳ２１４０２３７に記載されているような、大きい内部キャビティを含有し、それを金属バラストによって中和しようとしているカプセルである。このような場合、結果的に総重量又は比重は、前述のように、それ自体反芻胃におけるカプセルの保持を保証するための適切な基準にならない。
【００１４】
同じく考慮すべきことは、Ｇａｒｉｎら（２００２）及びＧｈｉｒａｒｄｉ（２００３）が指摘しているように、カプセルのサイズを縮小することによって、カプセルが消化器の次のセクションに移動可能となり、腸管を通過して動物の糞と共に紛失する可能性があることである。従って、興味深いことは（小型ボーラスを使用する場合は特別に）、カプセルが反芻胃にとどまって、反芻動物のそれぞれ第三及び第四胃である葉胃及び皺胃に向かう網胃−葉胃口を通過しないことである。通過すると動物の識別を喪失する結果になる。
【００１５】
この意味において、本特許の著者らが実施した調査から、カプセルの長さが増加すると、その直径が網胃−葉胃口のそれより小さいかどうかに関わらず、網胃−葉胃口を通過する機会が削減されることが明らかとなった。網胃−葉胃口の直径は、Ｇｈｉｒａｒｄｉ（２００２）の見積によれば、ヒツジ及びヤギの場合１．４〜２．０ｃｍ、ウシの場合２．５〜３．５ｃｍの間で変動する。これは効率的に保持される（１００％）ボーラスの直径より大きく、網胃−葉胃口のろ過能を決定しているのは他の要因であることを示している。従って、カプセルが網胃−葉胃口を通過して消化系の次のセクションへ移動する結果となる際、それを制御するための重要な因子は、カプセルの重量よりもその長さである。
【００１６】
本発明の反芻動物の電子識別用カプセル体が、前に提起された問題の解決策を提供する。
【００１７】
【特許文献１】米国特許出願公開第２００１／００１１７６号明細書
【特許文献２】米国特許第５，９３７，７８９号明細書
【発明の開示】
【課題を解決するための手段】
【００１８】
異なる種の反芻動物の反芻胃におけるカプセル又はボーラスの保持を説明する法則を決定するためになされた以前の研究及び実施された実験的試験の結果、反芻動物の識別に使用するカプセルを製造するための新規デザイン及び材料をここに提供する。これは、前述の適用及び保持の問題を解決し、本発明の異なる変形に従って異なる年齢及び大きさの動物への適用を可能とするものである。
【００１９】
本発明の反芻動物の電子識別用カプセル体は、カプセル体部を構成するセラミック材料が密度４．０ｇ／ｃｍ３以上の非鉄元素の誘導体を含み；体部の比重が３．０以上であり；カプセルの総重量が８ｇ〜９０ｇの間に含まれ；カプセルの有効重量が５ｇ〜８５ｇの間に含まれ；そしてわずかに丸みを帯びた端部を有するシリンダ様の形状で、長さ３０ｍｍ〜９５ｍｍ、直径８ｍｍ〜２５ｍｍであることを特徴とする。
【００２０】
本発明の別の特徴によれば、カプセル体部のセラミック材料は酸化ジルコニウム（ＺｒＯ２）を含む。
【００２１】
本発明の別の特徴によれば、酸化ジルコニウムの組成は３０重量％〜８０重量％の間に含まれ；その比重は３．５〜４．０の間に含まれる。
【００２２】
本発明の反芻動物用のカプセル体の別の卓越した態様は、セラミック材料が以下の成分、すなわち１７〜５０重量％の酸化ケイ素、０．０２〜０．０５重量％の酸化マグネシウム、３〜６重量％の酸化アルミニウム、１．２０〜２．６０％の酸化カルシウム、０．１２〜０．４０重量％の酸化カリウム、１．００〜３．２０重量％の酸化チタン、０．０１〜０．０３重量％の酸化ナトリウム、０．０２〜０．１５重量％の酸化鉄、及び０．０１〜０．０３重量％の酸化リンの一つ以上を含む点である。
【００２３】
本発明による反芻動物の識別用カプセルは、カプセルの長さと直径間の比率が３〜６の間に含まれ、好ましくは４．５に近い数値であることも特徴とする。
【００２４】
体重約２５ｋｇ未満の反芻動物用カプセルは、体部の長さが３５ｍｍ〜７５ｍｍの間、直径が８ｍｍ〜１５ｍｍの間、総重量が８ｇ〜５０ｇの間、そして有効重量が５ｇ〜４５ｇの間に含まれることを特徴とする。
【００２５】
体重約２５ｋｇを超える反芻動物の識別用カプセルは、体部の長さが５０ｍｍ〜１１０ｍｍの間、直径が１２ｍｍ〜２５ｍｍの間；総重量が４０ｇ〜９０ｇの間；そして有効重量が３５ｇ〜８５ｇの間に含まれることを特徴とする。
【００２６】
本発明のカプセル体は、体部の少なくとも一方の円形端部に配置され、生分解性材料のブラケットで固定された弾性エレメントを備えていることも特徴とする。
【発明を実施するための最良の形態】
【００２７】
図面において、経口投与されるように適応されたカプセル１は、セラミック材料の体部２を含み、該体部はデータ交換装置４を封入するためのキャビティ３を備え、該キャビティはその後反芻動物の胃における耐分解性セメント又はシリコーンで閉じられることが理解できる。
【００２８】
カプセル１の体部２を構成する前記セラミック材料の組成の一例を以下の囲み表に詳細に示す。
【００２９】
【表１】
2007506412.tif 000003
【００３０】
表に記載の組成は、セラミック材料の体部２の製造に適用可能であり、その寸法は、体部２の長さが３０〜１１０ｍｍ、その直径が８ｍｍ〜２５ｍｍの範囲である。
【００３１】
好適な実施の形態において、表１に記載の組成で体部２ができており、体重２５ｋｇ未満の動物に適用可能な本発明によるカプセル１は、８ｇ〜５０ｇの間に含まれる総重量、直径１０ｍｍ及び長さ５０ｍｍを有する。前記カプセル１は、基本的にはウシ家畜の識別に使用される。
【００３２】
同じ組成は体重２５ｋｇを超える動物用のカプセル１にも適用可能である。この場合の好適な実施の形態は、カプセル１が、４０ｇ〜９０ｇの間に含まれる重量、直径１８ｍｍ及び長さ７２ｍｍを有する。
【００３３】
どちらのタイプのカプセル１も、サイズの小さい小型動物（ヒツジ、ヤギ、子ウシなど）に適用可能なものであれ、重量及びサイズの大きい大型動物（ウシ、シカなど）に適用可能なものであれ、３を超える比重を有する。厳密に言えば、酸化ジルコニウムの組成が３０重量％〜８０重量％の間に入っていれば（５７．５５％）、比重は３．５〜４．０の間に入ることになろう。
【００３４】
カプセル１の総重量は、動物がそれを逆流しないほど十分に重くなくてはならないが、今度は高重量であると消化器の次のセクションへの移動が促進され、排便によってカプセルが紛失することも心に留めておくべきである。本発明の総重量及び有効重量の値、寸法、組成及び比重量特性を組み合わせて、逆流されないような適切な重量のカプセル１が達成される。同様に寸法も動物の瘤胃又は第二胃におけるカプセルの残留に有利に働くので、カプセルが消化器の次のセクションに移動するのが防止される。
【００３５】
記載されたカプセル１は、３０％〜８０％の重量割合の酸化ジルコニウムを含む組成でできたセラミック材料の体部２を有しており、データ交換装置４との干渉を最小限にすることを目指して比較的低い重量割合の酸化鉄しか含まない。この効果は重要である。なぜならば、カプセル２の組成がデータ交換装置４から受け取ったデータを隠すか、又は前記装置４の読取りをするために発信されたシグナルを変更する可能性があるからである。１７％〜５０％の重量割合の酸化ケイ素、０．０２％〜０．０５重量％の酸化マグネシウム、３％〜６重量％の酸化アルミニウム、１．２０％〜２．６０％の酸化カルシウム、０．１２％〜０．４０重量％の酸化カリウム、１．００％〜３．２０重量％の酸化チタン、０．０１％〜０．０３重量％の酸化ナトリウム、０．０２％〜０．１５重量％の酸化鉄、及び０．０１％〜０．０３重量％の酸化リンのような成分は、データ交換装置４の読取りに使用される電磁波を妨害しない成分である。
【００３６】
図２〜５に従って、本発明の好適な実施の形態は、体部２の少なくとも一方の円形端部に配置され、ドリル又は横溝によって固定された、スプリング又は弾性バンドのような弾性エレメント５を備えたカプセル１からなる。生分解性材料のブラケット６を配置して弾性エレメント５を固定するが、その際ブラケット６が弾性エレメント５を折り畳んだ位置に保持するようにする。このタイプの実施の形態は、識別が困難な品種又は種の動物におけるカプセル１の保持増大のために特別に設計されたものである。すなわち、逆流や消化器の次のセクションへの移動がいともたやすく行われることが観察されている一部の品種のヤギ及びある種の野生反芻動物のような動物用である。これはまた、非常に早期に識別する必要のある動物、及び／又は未熟な動物、生長遅延の動物又は病気の動物のような非常に低体重の動物にも特に適用可能である。図２に示されている例では、弾性エレメント５は体部２の両端に配置されたスプリングである。もっとも、弾性を有する任意の材料も適用可能である。このように、金属又はプラスチック製のスプリングが本発明の目的をはずれることなく使用できる。ブラケット６によって弾性エレメント５は折り畳んだ位置に固定される。あるいは、図５では、スプリングが伸張された位置に配置されているのが分かるであろう。弾性エレメント５を用いることにより、カプセルが動物の反芻胃に入った後、比重及び／又は有効重量を削減することなく、カプセル１のサイズ又は寸法の増大が達成できる。
【００３７】
ブラケット６は生分解性材料から形成されているので、動物の消化器内で消化されて、弾性エレメント５を伸張させることができる。生分解性材料としては、綿又はセルロースのような任意のセルロース化合物；デンプンのような任意のデンプン性化合物；ゼラチン、動物繊維又は線維性タンパク質のような任意のタンパク性化合物；又は動物瘤胃の物理化学条件で分解性の任意の合成ポリマーが使用される。
【００３８】
弾性エレメント５を備えたカプセル１の適用を容易にするために、ユニットをカバー７で覆うことが構想されている。カバー７は、図３から分かるようにシリンダ形でわずかに丸みを帯びた端部を有する。図３ではカバー７は丸みを帯びた端部の一方を示している。カバー７内部の体部２と弾性エレメント５の配置を詳細に図示するために図４が提供されている。これは図３のカプセルを長さ方向に切ったものに対応する。
【００３９】
カプセル１は、構想した異なる変形によって、異なる種、年齢及び体重の反芻動物に適用可能であり、幼若動物を識別するのは不可能であるという現在の問題に対し、小型ボーラスによる解答を提供している。該小型ボーラスはその後これらの動物が成長し成熟年齢に達するときも保持される（体重は出生時以降１０〜２０倍増加しうる）。更に詳しくは、本発明は、他への適用を排除するわけではないが、家畜反芻動物（ウシ、ヒツジ及びヤギ）（厩舎で飼育されていようと放牧されていようと）、及び野生反芻動物又は狩猟用に飼育されている反芻動物（シカ、ノロジカ、ダマジカ、ムフロン、シロイワヤギ等）（自由に動き回っていようと捕獲されていようと）に適用可能である。その目的は早期にそれらの識別及び管理を獲得することであり、その方法は良好な動物福祉及び管理実践と両立する。
【００４０】
記載されたカプセル１は、様々な年齢及びサイズの反芻動物に試されたが、過敏性、潰瘍形成又は動物の行動変化の問題が検出された例は全くなかった。前記カプセル１は、生後わずか数日の動物に適用されたが、飲込みの問題も動物の一生を通じて紛失も観察されず、生後１日目からのより正確な管理を可能にした。これを畜牛農場又は放牧農場の全家畜に拡大するならば、それらの制御及び管理が著しく改善される。
【００４１】
入手可能なデータ及び本特許の著者らが実施したいくつかの補完的試行で得られたデータから、ボーラスの寸法及び肥育用子ウシにおけるそれらの保持を掲げるいくつかの法則が決定された。従って、識別装置の保持率（ＲＩＤ、％）が、対応するボーラス寸法で得られたデータを非線形的に調整することによって得られた等式（多項式モデル及び指数モデル）によって説明できる。
【００４２】
１）総重量（ＴＷ、ｇ）
２．１）多項式モデル。
ＲＩＤ（％）＝−０．０２３×ＴＷ２＋２．９９３×ＴＷ＋５．６５６；ｒ２＝０．８４９
２．１）指数モデル。
ＲＩＤ（％）＝９８，８５３（１−ｅ−０．０６９ＴＷ）；ｒ２＝０．８７６
２）比重（ＳＧ）
２．１）多項式モデル。
ＲＩＤ（％）＝−７．８４１×ＳＧ２＋５６．９３３×ＳＧ−６．６１３；ｒ２＝０．８９４
２．２）指数モデル。
ＲＩＤ（％）＝１２６．３３１（１−ｅ−０．４３４ＳＧ）；ｒ２＝０．８８１
３）有効重量（ＥＷ、ｇ）
３．１）多項式モデル。
ＲＩＤ（％）＝−０．０２６×ＳＧ２＋２．３５２×ＳＧ＋４３．４６７；ｒ２＝０．９６８
３．２）指数モデル。
ＲＩＤ（％）＝９９．２７０（１−ｅ−０．０９９７ＥＷ）；ｒ２＝０．９２７
【００４３】
前記等式は、カプセル１の寸法からウシの反芻胃において期待される保持率の推定を可能にする。これによって、実際使用されるカプセル１の最適寸法を先験的に決定することが可能になる。保持率研究によって、総重量が６５ｇ、比重の値が３．６及び有効重量の値が４８ｇの場合の最大値、並びに８０ｇの総重量、３．９の比重及び５５ｇの有効重量からＲＩＤのプラトー値約１００％が示されている。
【図面の簡単な説明】
【００４４】
本発明の目的に従って反芻動物の識別用カプセルを非制限的例によって添付の図面に示す。前記図面において、
【図１】反芻動物の電子識別用カプセルを示す線図である。該図面からカプセルを構成する異なる部品を理解することができる。
【図２】弾性エレメント及びブラケットを備えた本発明によるカプセルを示す別の線図に対応する。
【図３】カバーを備えた本発明によるカプセルを示す図である。
【図４】折り畳まれた位置にある弾性エレメントを備えた本発明のカプセル体を示す線図である。
【図５】弾性エレメントが伸張された位置にある、図４のカプセルに対応する図である。
【符号の説明】
【００４５】
１  カプセル、２  体部、３  キャビティ、４  データ交換装置、５  弾性エレメント、６  ブラケット、７  カバー。
【図１】
2007506412.tif 000004
【図２】
2007506412.tif 000005
【図３】
2007506412.tif 000006
【図４】
2007506412.tif 000007
【図５】
2007506412.tif 000008
【手続補正書】
【提出日】平成17年4月12日(2005.4.12)
【手続補正１】
【補正対象書類名】特許請求の範囲
【補正対象項目名】全文
【補正方法】変更
【補正の内容】
【特許請求の範囲】
【請求項１】
反芻動物の電子識別用カプセル（１）であって、経口投与されて該動物の第二胃（網胃又は反芻胃）に格納されるように適応されており、前記カプセルは、動物の胃液に耐性のあるセラミック材料の体部（２）を含み、データ交換装置（４）を封入するためのキャビティ（３）を備えており、
カプセル体部のセラミック材料は、密度４ｇ／ｃｍ３以上の非鉄元素の化合物を含み、
前記体部の比重は３以上であり、
カプセルの総重量は８ｇ〜９０ｇの間に含まれ、
カプセルの有効重量は５ｇ〜８５ｇであり、そして
カプセルは楕円形の、わずかに丸みを帯びた端部を有するシリンダ様で、直径は８ｍｍ〜２５ｍｍの間に含まれ、長さは３０ｍｍ〜１１０ｍｍの間に含まれる
ことを特徴とするカプセル（１）。
【請求項２】
体部（２）のセラミック材料が酸化ジルコニウム（ＺｒＯ２）を含むことを特徴とする、請求項１に記載のカプセル（１）。
【請求項３】
酸化ジルコニウムの組成が３０重量％〜８０重量％の間に含まれ、比重量が３．５〜４．０であることを特徴とする、請求項１及び２に記載のカプセル（１）。
【請求項４】
体部（２）を構成するセラミック材料が以下の成分、すなわち１７〜５０重量％の酸化ケイ素、０．０２〜０．０５重量％の酸化マグネシウム、３〜６重量％の酸化アルミニウム、１．２０〜２．６０％の酸化カルシウム、０．１２〜０．４０重量％の酸化カリウム、１．００〜３．２０重量％の酸化チタン、０．０１〜０．０３重量％の酸化ナトリウム、０．０２〜０．１５重量％の酸化鉄、及び０．０１〜０．０３重量％の酸化リンの一つ以上を含むことを特徴とする、前記請求項のいずれかに記載のカプセル（１）。
【請求項５】
カプセルの長さと直径間の比率が３〜６の間に含まれ、好ましくは４．５に近い数値であることを特徴とする、請求項１に記載のカプセル（１）。
【請求項６】
体部（２）の長さが５０ｍｍ〜１１０ｍｍの間、直径が１２ｍｍ〜２５ｍｍの間、総重量が４０ｇ〜９０ｇの間；そして有効重量が３５ｇ〜８５ｇの間に含まれることを特徴とする、体重約２５ｋｇを超える反芻動物用の前記請求項１〜５のいずれかに記載のカプセル（１）。
【請求項７】
体部（２）の長さが３５ｍｍ〜７５ｍｍの間、直径が８ｍｍ〜１５ｍｍの間、総重量が８ｇ〜５０ｇの間；そして有効重量が５ｇ〜４５ｇの間に含まれることを特徴とする、体重約２５ｋｇ未満の反芻動物用の前記請求項１〜５のいずれかに記載のカプセル（１）。
【請求項８】
体部（２）の少なくとも一方の円形端部に配置され、生分解性材料のブラケット（６）で固定された弾性エレメント（５）を備えていることを特徴とする、前記請求項のいずれかに記載のカプセル（１）。
【国際調査報告】
2007506412.tif 000009
2007506412.tif 000010
2007506412.tif 000011